(57)【要約】【課題】  本発明は、メッシュ状生地ないし多数のわな若しくはパイルを形成した生地、植毛布、起毛布を筒状にして、手を出し入れしやすく、泡立ちを良くし、洗いやすくした浴用あかすりとして、並びに車、食器等の洗浄具としても使えるあかすり兼用洗浄具に関する。【解決手段】  メッシュ状生地ないし多数のわな若しくはパイルを形成した生地、植毛布、起毛布を筒状にして、表側又は裏側の少なくともいずれかの側にネット状生地を設けたことを特徴とする第１の課題解決手段又は第２記載のあかすり兼用洗浄具である。【選択図】  図８
2005211624.tif 000002
【特許請求の範囲】
【請求項１】
メッシュ状生地ないし多数のわな若しくはパイルを形成した生地、植毛布、起毛布を筒状にして、紐状弾性体を周囲の全体ないしその一部に取り付けたことを特徴とするあかすり兼用洗浄具。
【請求項２】
メッシュ状生地ないし多数のわな若しくはパイルを形成した生地、植毛布、起毛布を筒状にして、両側ないし一方に指出し口を設けたことを特徴とするあかすり兼用洗浄具。
【請求項３】
メッシュ状生地ないし多数のわな若しくはパイルを形成した生地、植毛布、起毛布を筒状にして、表側又は裏側の少なくともいずれかの側にネット状生地を設けたことを特徴とする請求項１又は２記載のあかすり兼用洗浄具。
【請求項４】
メッシュ状生地ないし多数のわな若しくはパイルを形成した生地、植毛布、起毛布の表面にガ−ゼ又はネット状生地を設け、筒状にして、上端の一部をふさいだことを特徴とするあかすり兼用洗浄具。
【請求項５】
請求項１〜４記載の生地、布が弾性を有することを特徴とするあかすり兼用洗浄具。
【請求項６】
メッシュ状生地ないし多数のわな若しくはパイルを形成した生地、植毛布、起毛布の表面、全面又はその一部に複数の細長くつまんだ畝状のすじを形成し、筒状にしたことを特徴とするあかすり兼用洗浄具。
【請求項７】
請求項１〜６記載のあかすり兼用洗浄具の表面、全面又はその一部に複数の孔をあけた生地を使用したことを特徴とするあかすり兼用洗浄具。
【発明の詳細な説明】
【技術分野】
【０００１】  本発明は、メッシュ状生地ないし多数のわな若しくはパイルを形成した生地、植毛布、起毛布を筒状にして、手を出し入れしやすく、泡立ちを良くし、洗いやすくした浴用あかすりとして、並びに車、食器等の洗浄具としても使えるあかすり兼用洗浄具に関する。
【背景技術】
【０００２】従来は、浴用手袋などがあり、食器洗い用ベルト付き筒状手袋（特許文献１）があった。【０００３】  しかし、従来の浴用手袋は、構造が複雑、手の入口が狭く手を出し入れしずらい。泡立ちなどの問題点があり、また、食器洗い用ベルト付き筒状手袋は、洗浄時に滑りやすく汚れが落としずらい問題点があった。
【特許文献１】意匠登録第１１７５６２７号
【発明の開示】
【発明が解決しようとする課題】
【０００４】  解決しようとする問題点は、メッシュ状生地ないし多数のわな若しくはパイルを形成した生地、植毛布、起毛布を筒状にして、構造を簡単に、手の入口を広くして、手を出し入れしやすく、泡立ちを良くし、洗いやすくした浴用あかすりとして、並びに車の洗浄具としても使えるあかすり兼用洗浄具と滑り止めを取り付け、汚れが落とし易い食器等の洗浄具としても使えるあかすり兼用洗浄具を作ることを目的とするものである。
【課題を解決するための手段】
【０００５】  本発明は、上記目的を達成するために、メッシュ状生地ないし多数のわな若しくはパイルを形成した生地、植毛布、起毛布を筒状にして、紐状弾性体を周囲の全体ないしその−部に取り付けたことを特徴とするあかすり兼用洗浄具である。
また、第２の課題解決手段は、メッシュ状生地ないし多数のわな若しくはパイルを形成した生地、植毛布、起毛布を筒状にして、両側ないし一方に指出し口を設けたことを特徴とするあかすり兼用洗浄具である。
また、第３の課題解決手段は、メッシュ状生地ないし多数のわな若しくはパイルを形成した生地、植毛布、起毛布を筒状にして、表側又は裏側の少なくともいずれかの側にネット状生地を設けたことを特徴とする前記第１の課題解決手段又は第２記載のあかすり兼用洗浄具である。
また、第４の課題解決手段は、メッシュ状生地ないし多数のわな若しくはパイルを形成した生地、植毛布、起毛布の表面にガ−ゼ又はネット状生地を設け、筒状にして、上端の一部をふさいだことを特徴とするあかすり兼用洗浄具である。
また、第５の課題解決手段は、前記第１の課題解決手段〜第４記載の生地、布が弾性を有することを特徴とするあかすり兼用洗浄具である。
また、第６の課題解決手段は、メッシュ状生地ないし多数のわな若しくはパイルを形成した生地、植毛布、起毛布の表面、全面又はその一部に複数の細長くつまんだ畝状のすじを形成し、筒状にしたことを特徴とするあかすり兼用洗浄具である。
また、第７の課題解決手段は、前記第１の課題解決手段〜第６記載のあかすり兼用洗浄具の表面、全面又はその一部に複数の孔をあけた生地を使用したことを特徴とするあかすり兼用洗浄具の構成としたものである。
【発明の効果】
【０００６】  第１の課題解決手段により、本発明のあかすり兼用洗浄具は、網目状の織物や編み物、合成繊維または天然素材と合成繊維の混紡、天然素材などのメッシュ状生地ないし多数のわな若しくはパイルを形成した生地、植毛布、起毛布を筒状にしたことにより、構造が簡単で、内部が汚れにくい。紐状弾性体を親指の第２関節の下部の位置に取り付けたことにより、左右に回転するのを防止し、上下に抜けないようにし、フリ−サイズに使用することができる。また、紐状弾性体を手首の位置に取り付け、水跳ねを防止し、紐状弾性体を上端付近に、周囲の全体ないしその一部に取り付けている。また上端付近の紐状弾性体は滑り止めになり、適度の厚みと泡立ちを良くする効果がある。使用後は紐状弾性体を伸ばしてゆすぎ、汚れを取りやすい。用途は、老若男女の浴用の他に車の洗浄用などがある。
また、第２の課題解決手段により、メッシュ状生地ないし多数のわな若しくはパイルを形成した生地、植毛布、起毛布を筒状にして、両側ないし一方に指出し口を設けたことにより、指出し口から親指を出すことにより、手を広げやすく、回転したり、上下に抜けたりせず、手の入口を広くした構造にすることができる。また、指先が動かしやすく、上端付近を広げられ、手を入れ替えたり、出し入れしやすく、入浴を急ぐ人に便利である。
老人をお風呂に入れる人が手をひろげて洗え、また、老若男女誰でも使用できる。用途は、老若男女の浴用の他に車の洗浄用などがある。
また、第３の課題解決手段により、メッシュ状生地ないし多数のわな若しくはパイルを形成した生地、植毛布、起毛布を筒状にして、表側又は裏側の少なくともいずれかの側に寒冷紗等の織物、編物、ネット、レ−ス等を含むネット状生地を設けたことにより、表側に設け（重ね合わせ）て、例えば、パイル等の毛羽に水分と石鹸が作用し、毛羽とネットの摩擦によって泡がネットに張り付きやすく、泡立ちが良く、また、ネット状生地の材質を活かし、触感の良い適度の摩擦力が得られるようにすることができる。
また、裏側に張りのある、薄いネット状生地を設け、表布の材質を活かし、ネット状生地と泡立ちを良くし、使用後は乾燥させやすくしている。
また、第４の課題解決手段によりメッシュ状生地ないし多数のわな若しくはパイルを形成した生地、植毛布、起毛布の表面にガ−ゼ又はネット状生地を設け（重ね合わせ）、赤ちゃん用として、従来は、ガ−ゼを軽くしぼつて、人指し指に巻いて使用していたが、ガ−ゼだけでは痛く、ガ−ゼは、ぬれると纏わりやすいことなどを改良し、筒状にして、上端の一部をふさぎ、人指し指を入れやすく、指先側は輪裁ち又は突き合せに平らにしたことにより、指先が滑らかで、肌を痛めないようにすることができる。
赤ちゃんをお風呂に入れる人が、手を入れ易い構造にして、赤ちゃんの産湯に使用しやすくしたものである。また、タオル地、パイル、フリ−ス等の表面に設けた（重ね合わせた）ガ−ゼ又はネット状生地は、触感が良く、泡立ちを良くする効果がある。
また、第５の課題解決手段により、前記第１の課題解決手段〜第４記載の生地、布が弾性を有するメッシュ状生地ないし多数のわな若しくはパイルを形成した生地、植毛布、起毛布、ネット状生地を使用することもできる。
また、第６の課題解決手段により、メッシュ状生地ないし多数のわな若しくはパイルを形成した生地、植毛布、起毛布の表面、全面又はその一部に複数の細長くつまんだ畝状のすじを形成し、筒状にしたことにより、泡が複数の細長くつまんだ畝状のすじ間の凹を伝って上下に動き、全体に広がり、泡立ちに効果があり、持続しやすい。
また、洗浄具を押さえる手が凹凸の溝にひっかかり、滑りにくいので洗い易く、複数の細長くつまんだ畝状のすじが適度のクッションになり、また、縦方向に向け、左右に擦ることにより接地面に力が伝わり易く、汚れが落とし易い効果がある。
食器洗い用として、コップや湯飲み茶碗などが洗い易く、指先を筒の中に入れて回して洗浄すると汚れが落としやすい。また、手をのせたり、掴んで使用し、食器やお鍋、台所用品などの細かい物の洗浄に適している。
また、筒状なので干しやすく、乾燥しやすく、衛生的である。
また、第７の課題解決手段により、前記第１の課題解決手段〜第６記載のあかすり兼用洗浄具の表面、全面又はその一部に複数の孔をあけた生地を使用し、ネット状生地にできた泡を表面に出やすくして、泡立ちを良くすることができる。
【発明を実施するための最良の形態】
【０００７】  本発明は、網目状の織物や編み物、合成繊維または天然素材と合成繊維の混紡、天然素材などのメッシュ状生地ないし多数のわな若しくはパイルを形成した生地、植毛布、起毛布を使用することが好ましい。また、ネット状生地には、寒冷紗等の織物、編物、又はサ−キュラ−ダイスを使用した押し出し成型によるネット等を使用できる。ネットの材質は、ポリエステル、ナイロン、ポリプロピレン、ポリエチレン等。又、ネット状生地には、ポリエステル、ナイロン等の合成繊維のレ−スを含む。
第１の課題解決手段により、上記メッシュ状生地ないし多数のわな若しくはパイルを形成した生地、植毛布、起毛布１１、１２、１３、１４、１５、２３を筒状にして、紐状弾性体１ａ、２ａを親指の第２関節の下部の位置に取り付け、紐状弾性体４ａを手首の位置に取り付け、紐状弾性体３ａ、５ａ、６ａ、２ｂを上端４付近に、周囲の全体ないしその一部に取り付けている。また、紐状弾性体２ｂは滑り止めになり、適度の厚みと泡立ちを良くする効果がある。使用後は紐状弾性体を伸ばしてゆすぎ、汚れを取りやすい。
また、第２の課題解決手段により、メッシュ状生地ないし多数のわな若しくはパイルを形成した生地、植毛布、起毛布１３、１４、１５、２１、２２、２３を筒状にして、両側ないし一方に指出し口３６を設け、手の入口３を広くした構造にしている。また、指先が動かしやすく、上端付近４を広げている。
また、第３の課題解決手段により、メッシュ状生地ないし多数のわな若しくはパイルを形成した生地、植毛布、起毛布を筒状にして、表側又は裏側の少なくともいずれかの側に、寒冷紗等の織物、編物、ポリエステル、ナイロン、ポリエチレン、ポリプロピレン等のネット、ポリエステル、ナイロン等の合成繊維のレ−ス等を含むネット状生地８を、
表側に設け（重ね合わせ）、例えば、編み込みのパイル等の毛羽に水分と石鹸が作用し、毛羽とネットの摩擦によって泡がネットに張り付きやすく、泡立ちが良く、また、ネット状生地の材質を活かし、触感の良い適度の摩擦力が得られるようにしている。
また、裏側に張りのある、薄いネット状生地を設け、表布の材質を活かし、ネット状生地と泡立ちを良くし、使用後は乾燥させやすくしている。
また、第４の課題解決手段により、メッシュ状生地ないし多数のわな若しくはパイルを形成した生地、植毛布、起毛布３１、４１の表面にガ−ゼ又はネット状生地を設け（重ね合わせ）、筒状にして、上端４の一部をふさぎ、人指し指を入れやすく、指先側４ｃは輪裁ち又は突き合せに平らにして、指先が滑らかで、赤ちゃんの産湯に使用しやすくしている。また、タオル地、パイル、フリ−ス等の表面に設けた（重ね合わせた）ガ−ゼ又はネット状生地は、触感が良く、泡立ちを良くする効果がある。
また、第５の課題解決手段により、前記第１の課題解決手段〜第４記載の生地、布が弾性を有するメッシュ状生地ないし多数のわな若しくはパイルを形成した生地、植毛布、起毛布、ネット状生地を使用することもできる。
また、第６の課題解決手段により、メッシュ状生地ないし多数のわな若しくはパイルを形成した生地、植毛布、起毛布５１、５２、５３の表面、全面又はその一部に複数の細長くつまんだ畝状のすじ６を形成し、筒状にして、泡が細長くつまんだ畝状のすじ間の凹を伝って上下に動き、全体に広がり、泡立ちを良くし、持続しやすい。
また、洗浄具を押さえる手が凹凸の溝にひっかかり、滑りにくいので洗い易く、複数の細長くつまんだ畝状のすじ６が適度のクッションになり、また、縦方向に向け、左右に擦ることにより接地面に力が伝わり易く、汚れを落とし易くしている。
食器洗い用として、コップや湯飲み茶碗などが洗い易く、指先を筒の中に入れて回して洗浄すると汚れが落としやすい。また、手をのせたり、掴んで使用し、食器やお鍋、台所用品などの細かい物の洗浄に適している。また、筒状なので干しやすく、乾燥しやすく、衛生的である。
また、第７の課題解決手段により、前記第１の課題解決手段〜第６記載のあかすり兼用洗浄具の表面、全面又はその一部に複数の孔をあけた生地を使用し、ネット状生地にできた泡を表面に出やすくして、泡立ちを良くしている。
以下、本発明の実施の形態として、実施例を図１〜図１６に基づいて説明する。
【実施例１】
【０００８】  図１に示されるように、メッシュ状生地ないし多数のわな若しくはパイルを形成した生地、植毛布、起毛布を（ａ）の型紙で裁った生地１１を（ｂ）のように筒状にして、紐状弾性体１ａを上下の中心ｇから約４ｃｍ下の親指の第２関節の下部の位置に、輪にして取り付けたあかすり兼用洗浄具で、裏側にネット状生地８を設けている。例えば、ナイロンのタオル地１１を筒状に設け、裏側に張りのある、薄いポリエステルのレ−スなどのネット状生地８を設け、表地１１と裏地８の間に紐状弾性体１ａを輪にして全体にふらして、両側の縫い代に縫い付け、上端４と手の入れ口３は、ステッチで裏表を止め、ロックミシンしたものである。
大きさは、裏表同寸に裁ち、例えば、長さは、上がり寸法で約２３ｃｍ位、上端４の幅は、縫い代込み約１２ｃｍ前後（上がり寸法で約１０ｃｍ前後）、手の入れ口３の幅は、縫い代込み約１８ｃｍ位（１６ｃｍ位）、ゴムの幅は、適宜約０．８ｃｍ位、ゴムの長さは縫い代込み約２１ｃｍ位。
表布を２枚、裏布を２枚、それぞれ中表にして両側を縫い、縫い代を割り、表布の縫い代にゴム１ａの付け位置（ｈ、ｉ）を印する。型紙の縫い代９の中心ｇから約４ｃｍ位下部のゴム付け位置（ｈ）にゴム１ａの中心の印を合わせ、取り付ける。ゴムを付けた側の縫い代をとじてひっくり返す。反対側の縫い代のゴム付け位置（ｉ）に、ゴムの両端を２ｃｍ重ねて輪にしたゴムを付け、表側から割った縫い代の上に落としミシンのステッチをすることにより、上端４と手の入口３の周囲をステッチでとじ、ロックしてできる。
【実施例２】
【０００９】  図２に示されるように、（ａ）の型紙で裁った生地１２を（ｂ）のように筒状にして、紐状弾性体２ａを上下の中心ｇから４ｃｍ下の親指の第２関節の下部の位置に、紐状弾性体３ａを上端４から２ｃｍ位下に輪にして取り付けたあかすり兼用洗浄具で、裏側にネット状生地８を取り付けている。
大きさは、例えば、長さは、上がり寸法で約２３ｃｍ位、手の入れ口３の幅と上端４の幅は、縫い代込み約１８ｃｍ前後（上がり寸法で、１６ｃｍ前後）、ゴムの幅は、適宜約０．８ｃｍ位、ゴムの長さは、２ａは、縫い代込み約２１ｃｍ位、３ａは、縫い代込み約１８ｃｍ位。
図３に示されるように、図２（ｂ）のＡ−Ａ線縦端面図である。例えば、生地１２の片側の縫い代を縫い、上面に、紐状弾性体２ａを中心ｇから約４ｃｍ位下部の位置にのせ、のばしながらステッチで取り付け、紐状弾性体３ａを上端から約２ｃｍ位の位置にのばしながらステッチで取り付け、他方の縫い代を縫い、筒状にして、裏側にネット状生地８をふらして取り付けている。
裏地は筒状にして縫い代を割り、裏表の脇を閉じて上端４と手の入口３の裏表をステッチで止めロックして作ることができる。
【実施例３】
【００１０】  図４に示されるように、（ａ）の型紙で裁った生地１３を（ｂ）のように筒状にして、紐状弾性体４ａを手の入口３から約２ｃｍ位上の手首の位置に取り付け、紐状弾性体４ａを表側に出して周囲の半分取り付けることもできる。水跳ねを防止している。吊紐を兼ねている。
大きさは、裏表同寸に裁ち、例えば、長さは、上がり寸法で約２４ｃｍ位、上端４の幅は、縫い代込み約１２ｃｍ前後（上がり寸法で約１０ｃｍ前後）、手の入れ口３の幅は、縫い代込み約１８ｃｍ位（１６ｃｍ位）、ゴムの長さは縫い代込み約５ｃｍ位〜６ｃｍ位で作っている。
【実施例４】
【００１１】  図５に示されるように、（ａ）の型紙で裁った生地１４を（ｂ）のように筒状にして、紐状弾性体４ａを手首の位置に、紐状弾性体５ａを上端４付近の周囲に取り付けたあかすり兼用洗浄具で、裏側にネット状生地を設け、水跳ねを防止している。例えば、表側に綿のタオル地を使用し、裏側にナイロンのレ−ス又はポリエチレン製のネットを取り付け、浴用の他に、車の洗浄用等にも適している。
大きさは、例えば、長さは、適宜であるがネットを使用の場合は、表地の長さは、２６ｃｍ（上がり寸法で、約２４ｃｍ）位、幅は、縫い代込みで２０ｃｍ位（約１８ｃｍ位）、上端４の幅は、縫い代込み１５ｃｍ位（１３ｃｍ位）。表布を２枚、裏布を２枚又は横方向に伸びるポリエチレン製の輪のネットの長さ、２５ｃｍ位を１枚、紐状弾性体４ａを、幅は、適宜約０．６ｃｍ〜０．８ｃｍ位、長さは、縫い代込み約１８ｃｍ位、手の入れ口３から約２ｃｍ位上の位置に取り付けている。紐状弾性体５ａを、幅は、約０．６ｃｍ〜０．８ｃｍ位、長さは、約１７ｃｍ位（縫い代込み）、上端４から約５．５ｃｍ下のｐ〜ｋの位置に取り付けている。
作り方は、例えば、ポリエチレン製の輪のネットを取り付ける場合、表地の長さは、上がり寸法より上下のヘム分を２ｃｍ多く裁ち、表布の裏側に紐状弾性体５ａを上端４から縫い代込み約６．５ｃｍ（約５．５ｃｍ）下のｐ〜ｋ（幅１８ｃｍ）の位置に、取り付ける位置を印しておく。
中表（なかおもて）にして表布の両側の縫い代を指出し口３６をあけて縫い、縫い代を割る。表布の縫い代の上にネットを輪のままのせ、ネットの両側を縫い代にそって０．８ｃｍのステッチでとじ、指出し口３６の開き止まりｊより、上下に１ｃｍ位手前でとめる。大きめにあけたネットの指出し口３６の縫い代に縦に切り込みを入れ、指出し口３６の周囲を０．５ｃｍ幅のステッチで止める。上下のヘムは、ネットを芯に入れて、裏側に折り０．８ｃｍのステッチをして作り、紐状弾性体４ａを手の入れ口３から上がり寸法で約２ｃｍ上の位置に、伸ばしながらステッチで取り付け、紐状弾性体５ａを上端４から約５．５ｃｍ下のｐ〜ｋ（幅１８ｃｍ）の位置に、伸ばしながらステッチで取り付けてできる。
【実施例５】
【００１２】  図６に示されるように、（ａ）の型紙で裁った生地１５を（ｂ）のように筒状にして、紐状弾性体４ａを手首の位置に、紐状弾性体６ａを上端４付近に取り付けたことを特徴とするあかすり兼用洗浄具で、裏側に張りのある、薄いネット状生地を設けている。上下どちらからでも手を入れられ、手首の位置で止めて使用し、水跳ねを防止している。
例えば、表布は、タオル地を使用し、裏側に張りのある、薄いポリエステル等のレ−ス等を使用し、大きさは、例えば、長さは、上がり寸法で、約２４ｃｍ位、幅は、縫い代込み、約２０ｃｍ位。表布を２枚、裏布（ネット状生地）を２枚、紐状弾性体４ａ、６ａの幅は、適宜約０．６ｃｍ〜０．８ｃｍ位、長さは、縫い代込み約１７ｃｍ位。紐状弾性体４ａは手の入れ口３から約２ｃｍ位上の位置に取り付け、紐状弾性体６ａは、上端４から約２ｃｍ位下の位置に取り付け、指出し口３６の大きさは、約５ｃｍ位で作っている。
表布を２枚、裏布を２枚、中表（なかおもて）にしてそれぞれの両側を指出し口３６をあけて縫い、縫い代を割り、表布と裏布の両側の縫い代をとじ、指出し口３６の周囲を閉じて０．５ｃｍ幅位のステッチをする。上端４と手の入口３の周囲をステッチで閉じ、ロックミシンをして作ることができる。紐状弾性体４ａ、６ａを上記の位置に引っ張りながらステッチして付けてできる。
浴用の他に、車の洗浄用などに適している。
【実施例６】
【００１３】  図７に示されるように、メッシュ状生地ないし多数のわな若しくはパイルを形成した生地、植毛布、起毛布を（ａ）の型紙で裁った生地２１を（ｂ）のように筒状にして、両側ないし一方に指出し口３６を設けたことを特徴とするあかすり兼用洗浄具で、裏側にネット状生地８を取り付けている。簡単に低コストに作ることができる。例えば、ポリエステル１００％の編み込みのパイルを形成した生地を使用し、裏側にポリエステル１００％のレ−スを使用し、大きさは、例えば、上がり寸法で、長さは、約２２．５ｃｍ位、手の入口３は、縫い代込み、約１９ｃｍ位（上がり寸法で、約１７ｃｍ位）、上端４の幅は、縫い代込み約１１ｃｍ〜１３ｃｍ位（約９ｃｍ〜１１ｃｍ位）上端４から５．５ｃｍ下のｍ〜ｎの幅は、縫い代込み約１１ｃｍ位（約９ｃｍ位）。
表布を２枚、裏布を２枚、中表（なかおもて）にしてそれぞれの両側を指出し口３６をあけて縫い、縫い代を割り、表布と裏布の両側の縫い代をとじ、指出し口３６の周囲を閉じて０．５ｃｍ幅位のステッチをする。上端４と手の入口３の周囲をステッチで閉じ、ロックミシンをして作ることができる。
【実施例７】
【００１４】  図８に示されるように、本発明のあかすり兼用洗浄具の基本の図で、第３の課題解決手段の、メッシュ状生地ないし多数のわな若しくはパイルを形成した生地、植毛布、起毛布の表側にネット状生地を設け（重ね合わせ）、筒状にした第２の課題解決手段記載の両側ないし一方に指出し口３６を設けたことを特徴とするあかすり兼用洗浄具の構成としたもので、簡単に作ることができ、一番泡立ちが良く、浴用に好適例である。
例えば、編みこみのパイル等の毛羽に水分と石鹸が作用し、毛羽とネットの摩擦によって泡がネットに張り付きやすく、泡立ちが良く、また、ネット状生地の材質を活かし、触感の良い適度の摩擦力が得られるようにすることができる。
（ａ）のように、例えば、ポリエステル１００％の編み込みのパイルを形成した生地２２の表側にポリエステル１００％のネットを重ね合わせて使用し、表地の大きさは、長さは、約２２．５ｃｍ位、手の入口３は、縫い代込み、約２０ｃｍ位（上がり寸法で、約１８ｃｍ位）、上端４の幅は、縫い代込み約１３ｃｍ位（約１１ｃｍ位）上端４から５．５ｃｍ下のｍ〜ｎの幅は、縫い代込み約１１ｃｍ位（約９ｃｍ位）、指出し口３６の大きさは、中心ｇより０．５ｃｍ上から下方向へ約５．５ｃｍ位で作っている。
表側に設ける（重ね合わせる）ネット状生地は、ポリエチレン製のネットのように左右に伸縮するものは長さは、上がり寸法より上下に約２ｃｍ〜３ｃｍ位ずつ長く裁ち、幅は輪のまま取り付けられるが、左右に伸縮の少ないネット等のネット状生地は、表地の厚み分を両側に加えて例えば、幅を約０．５ｃｍ〜０．７ｃｍ位大きく裁ち、表布の表面に重ね合わせ、周囲をロックミシンしたもの又はキルティングしたものを使用することができる。
上記のように、ネットを重ね合わせた表布を中表（なかおもて）にして、両側を指出し口３６をあけて縫い、縫い代を割り、指出し口３６の周囲を０．５ｃｍ幅のステッチをする。ひっくり返して（ｂ）のように、上端４と手の入口３の周囲をステッチして作ることができる。
【実施例８】
【００１５】  図９に示されるように、メッシュ状生地ないし多数のわな若しくはパイルを形成した生地、植毛布、起毛布を筒状にして、両側ないし一方に指出し口３６を設けたあかすり兼用洗浄具で、紐状弾性体２ｂを取り付けたことにより、ゴムが滑り止めになり、適度の厚みと泡立ちを良くする効果がある。裏側に張りのある、薄いネット状生地８を設けたことにより、泡立ちがよく、使用後は、空気が入り易く形を整えられ、乾燥させやすい。また、手の入口３を広くした構造にしたことにより、手を入れ替えたり、出し入れし易く、入浴を急ぐ人に便利である。例えば、表布にナイロンのタオル地を使用し、裏側に、ポリエステルのレ−ス又はポリエチレン製のネットを設け、浴用に適している。
（ａ）のように、大きさは、例えば、裏側にポリエステルのレ−スを取り付けた場合は、長さは、約２２．５ｃｍ位、手の入口３は、縫い代込みで約１８ｃｍ〜１９ｃｍ位（上がり寸法で、約１６ｃｍ〜１７ｃｍ位）、上端４の幅は、縫い代込み１３ｃｍ位（１１ｃｍ位）上端４から５．５ｃｍ下のｍ〜ｎの幅は、約１８ｃｍ位、中心部１１ｃｍの外側にギャザ−分ｅを左右に適宜約３．５ｃｍずつ付けている。両側を接ぎ、紐状弾性体２ｂ縫い代込み１７ｃｍを周囲に取り付けている。
表布を２枚、裏布を２枚、両側を指出し口３６をあけて縫い、縫い代を割り、表布と裏布の両側を閉じ、指出し口３６の周囲をとじる。紐状弾性体２ｂには、２等分の位置、４等分の位置に印を付け、裏布の上端４から５．５ｃｍ下のｐ〜ｋの位置にも合印を付け、印をあわせてゴムを引っ張りながらステッチして付ける。（ｂ）のように、表布と裏布の上端４と手の入口３の周囲をステッチで閉じ、ロックミシンして作ることができる。
また、図１０に示されるように、図９（ｂ）のＢ−Ｂ線断面図は、表布の裏側にネット状生地を設け、その上に紐状弾性体２ｂをのせてステッチで取り付けた図である。
【実施例９】
【００１６】  図１１に示されるように、メッシュ状生地ないし多数のわな若しくはパイルを形成した生地、植毛布、起毛布の表面にガ−ゼを重ね合わせ、（ａ）の型紙で裁った生地３１の表面にガ−ゼ又はネット状生地を設け（重ね合わせ）、（ｂ）のように筒状にして、上端４の一部をふさいだことを特徴とするあかすり兼用洗浄具で、人指し指を入れやすく、指先側４ｃは輪裁ち又は突き合せに平らにして、指先が滑らかで、赤ちゃんの産湯に使用しやすい。
また、タオル地、編み込みのパイル、フリ−ス、の表面に重ね合わせたガ−ゼは、触感がよく、泡立ちを良くする効果がある。
ポリエステル１００％の編み込みのパイルを形成した生地又は、ポリエステル１００％のフリ−ス２２の表面にガ−ゼを重ね合わせて使用し、大きさは、例えば、長さは、約９．５ｃｍ位、手の入口３は、縫い代込み、約１３．５ｃｍ位（上がり寸法で、約１１．５．ｃｍ位）、上端４の幅は、縫い代込み約１３ｃｍ位（約１１ｃｍ位）で、指先側４ｃは約６ｃｍ位輪裁ち又は突き合せに平らに裁ち、上端４から５．５ｃｍ下のｍ、ｎの幅は、縫い代込み約１１ｃｍ位で作っている。
表面に重ね合わせるガ−ゼは、一度水を通して乾かし縮めたものを使用し、表地の厚み分を両側に加えて幅を約０．５ｃｍ〜０．７ｃｍ位大きく裁ち、表布の表面に重ね合わせ、周囲をロックミシンしたもの又はキルティングしたものを使用してもよい。
上記のように、ガ−ゼを重ね合わせた表布を中表（なかおもて）にして、両側を縫い、縫い代を割り、ひっくり返して（ｂ）のように、上端４と手の入口３の周囲をステッチし、ロックミシンして作ることができる。また、上端４の周囲は、ガ−ゼなどで縁取りすることもできる。
図１２に示されるように、図１１（ｂ）の使用状態を示す図である。
【実施例１０】
【００１７】  図１３に示されるように、メッシュ状生地ないし多数のわな若しくはパイルを形成した生地、植毛布、起毛布の表面にガ−ゼを重ね合わせ、（ａ）の型紙で裁った生地４１の表面にガ−ゼを重ね合わせ、筒状にして、上端４の一部をふさぎ、人指し指を入れやすく、指先側４ｃは輪裁ち又は突き合せに平らにして、両側ないし一方に指出し口３６を取り付けたことを特徴とするあかすり兼用洗浄具で、指出し口から親指を出すことにより、手を動かしやすい。また、手の入り口３を広くした構造にしたことにより、手の出し入れがしやすく、乳幼児の浴用に適している。
（ａ）のように、例えば、ポリエステル１００％の編み込みのパイルを形成した生地４１の表面にガ−ゼを重ね合わせた場合は、表地の大きさは、例えば、長さは、約１７．５ｃｍ位、手の入口３は、両側の縫い代２ｃｍ込みで約１７．５ｃｍ位（上がり寸法で、約１５．５ｃｍ位）、上端４の幅は、縫い代込み約１３ｃｍ位（１１ｃｍ位）上端４から５．５ｃｍ下の幅は、縫い代込み約１１ｃｍ位（９ｃｍ位）、指出し口３６の大きさは、約５．５ｃｍ位で手の入口３から約１ｃｍ位上に作っている。
表面に取り付けるガ−ゼは、表地の厚み分を両側に加えて幅を約０．５ｃｍ〜０．７ｃｍ位大きく裁ち、表布の表面に重ね合わせ、周囲をロックミシンしたもの又はキルティングしたものを使用してもよい。
上記のように、ガ−ゼを重ね合わせた表布を中表（なかおもて）にして、両側を指出し口３６をあけて縫い、縫い代を割り、指出し口３６の周囲を０．５ｃｍ幅のステッチをする。ひっくり返して（ｂ）のように、上端４と手の入口３の周囲をステッチし、ロックミシンして作ることができる。また、上端４の周囲は、ガ−ゼなどで縁取りすることもできる。
【実施例１１】
【００１８】  また、第５の課題解決手段により、前記第１の課題解決手段〜第４記載の生地、布が弾性を有するメッシュ状生地ないし多数のわな若しくはパイルを形成した生地、植毛布、起毛布を使用することもできる。例えば、ポリ塩化ビニル８５％にレ−ヨン１５％のパイルを形成した弾性を有する生地の表側にネット状生地（ポリエステルやポリエチレンのネット）を設け（重ね合わせ）、筒状にしたもので実験したところ使用することができる。
【実施例１２】
【００１９】  図１４、図１５に示されるように、メッシュ状生地ないし多数のわな若しくはパイルを形成した生地、植毛布、起毛布５１、５２の表面、全面またはその一部に複数の細長くつまんだ畝状のすじ６を形成し、筒状にしたことにより、泡が細長くつまんだ畝状のすじ間の凹を伝って上下に動き、全体に広がり、泡立ちに効果があり、持続しやすい。
また、洗浄具を押さえる手が凹凸の溝にひっかかり、滑りにくい。洗い易く、複数の細長くつまんだ畝状のすじ６が適度のクッションになり、また、縦方向に向け、左右に擦ることにより接地面に力が伝わり易く、汚れが落とし易い効果がある。
また、図１６に示されるように、スリットｙを入れ、生地５３を少なく使用して経済的にすることができる。食器洗い用として、コップや湯飲み茶碗などが洗い易く、指先をスリット側から筒の中に入れて回して洗浄すると縁の汚れが落としやすい。
また、手をのせたり、掴んで使用し、食器やお鍋、台所用品などの細かい物の洗浄に適している。また、筒状なので干しやすく、乾燥しやすく、衛生的である。【００２０】  作り方は、細長くつまんだ畝状のすじ６は、熱処理によって形成することができるが、縫製で、布をつまんで縫い付けて作ることができる。布をつまんで縫い付ける場合は、最初の縦方向のステッチ６１から右方向へ約１ｃｍ位の目安でひだ山６をつまみ、つまむ幅が１ｃｍ以上にならないようにするのがコツである。太めのコバステッチ６２をして、右方向へ約１ｃｍ位ひだ山６をつまみ、太めのコバステッチ６３をして、右方向へ約１ｃｍ位ひだ山６をつまみ、太めのコバステッチ６４をすることを繰り返すことによりできる。ステッチ６１と６２、６２と６３、６３と６４の間隔は約０．５ｃｍ〜０．７ｃｍ位で、左右に伸縮する。また、複数本づつまとめて間隔をおいて取り付けることもできる。
大きさは、例えば、ナイロン１００％のタオル地を使用し、上がり寸法で長さは、約１２ｃｍ〜１３ｃｍ位（上下のヘム分１ｃｍ込みで約１５ｃｍ位）、幅は、輪にしたもの約９ｃｍ〜１０ｃｍ位（縫い代込み２０ｃｍ〜２２ｃｍを輪にしたもの）、スリットｙの長さは、約５ｃｍ上がり位で作っている。
【実施例１３】
【００２１】  また、第７の課題解決手段により、前記第１の課題解決手段〜第６記載のあかすり兼用洗浄具の表面、全面又はその一部に複数の孔をあけた生地を使用したことにより、ネット状生地にできた泡が表面に出やすくなり、泡立ちを良くする効果がある。
裏側にネット状生地を設けた場合は、例えば、タオル地、編み込みのパイルを形成した生地のように孔のあいている生地、植毛布、起毛布（フリ−ス等）の毛羽を形成した生地の表面、全面又はその一部に複数の孔をあけた生地を使用することにより、裏側のネット状生地にできた泡が表面に出やすくなり、泡立ちを良くする効果がある。
例えば、フリ−ス等の毛羽を形成した目が細かく詰まっている生地の表面には、細かい泡ができ、裏側のネット状生地には大きさの異なる泡が沢山できる。揉んでもなかなか裏側の泡が表面に出てこないが約２ｍｍ〜３ｍｍ位の孔を複数あけ、実験したところ、ネット状生地にできた泡が表面に出やすくなり、泡立ちを良くする効果がある。
【産業上の利用可能性】
【００２２】  前記のように構成することによって手を出し入れしやすくして、泡立ちを良くし、洗いやすくした浴用あかすりとして、並びに車、食器等の洗浄具に広く利用でき極めて有用である。
【図面の簡単な説明】
【００２３】
【図１】（ａ）は本発明の第１実施例を示すあかすり兼用洗浄具の型紙を示す平面図である。（ｂ）は型紙（ａ）を使用したあかすり兼用洗浄具の斜視図である。
【図２】（ａ）は本発明の第２実施例を示すあかすり兼用洗浄具の型紙を示す平面図である。（ｂ）は型紙（ａ）を使用したあかすり兼用洗浄具の斜視図である。
【図３】図２（ｂ）のＡ−Ａ線端面図である。
【図４】（ａ）は本発明の第３実施例を示すあかすり兼用洗浄具の型紙を示す平面図である。（ｂ）は型紙（ａ）を使用したあかすり兼用洗浄具の斜視図である。
【図５】（ａ）は本発明の第４実施例を示すあかすり兼用洗浄具の型紙を示す平面図である。（ｂ）は型紙（ａ）を使用したあかすり兼用洗浄具の斜視図である。
【図６】（ａ）は本発明の第５実施例を示すあかすり兼用洗浄具の型紙を示す平面図である。（ｂ）は型紙（ａ）を使用したあかすり兼用洗浄具の斜視図である。
【図７】（ａ）は本発明の第６実施例を示すあかすり兼用洗浄具の型紙を示す平面図である。（ｂ）は型紙（ａ）を使用したあかすり兼用洗浄具の斜視図である。
【図８】（ａ）は本発明の第７実施例を示すあかすり兼用洗浄具の型紙を示す平面図である。（ｂ）は型紙（ａ）を使用したあかすり兼用洗浄具の斜視図である。
【図９】（ａ）は本発明の第８実施例を示すあかすり兼用洗浄具の型紙を示す平面図である。（ｂ）は型紙（ａ）を使用したあかすり兼用洗浄具の斜視図である。
【図１０】図９（ｂ）のＡ−Ａ線断面図である。
【図１１】（ａ）は本発明の第９実施例を示すあかすり兼用洗浄具の型紙を示す平面図である。（ｂ）は型紙（ａ）を使用したあかすり兼用洗浄具の斜視図である。
【図１２】図１１（ｂ）の使用状態を示す図である。
【図１３】（ａ）は本発明の第１０実施例を示すあかすり兼用洗浄具の型紙を示す平面図である。（ｂ）は型紙（ａ）を使用したあかすり兼用洗浄具の斜視図である。
【図１４】本発明の第１２実施例を示すあかすり兼用洗浄具の説明図である。
【図１５】本発明の第１２実施例を示すあかすり兼用洗浄具の説明図である。
【図１６】本発明の第１２実施例を示すあかすり兼用洗浄具の説明図である。
【符号の説明】
【００２４】１１、１２、１３、１４、１５、２１、２２、２３、３１、４１、５１、５２、５３  生地
１ａ、２ａ、３ａ、４ａ、５ａ、６ａ、２ｂ  紐状弾性体
３  手の入口
４  上端
５  吊紐
４ｃ  指先側
５ｃ  指の甲側
６  細長くつまんだ畝状のすじ、ひだ山
７  ヘム
８  ネット状生地
９  縫い代
３６  指出し口
ｆ  開き止まり
ｇ  上下の中心
ｓ  ステッチ
ｅ  ギャザ−分
ｈ〜ｉ、ｐ〜ｋ  紐状弾性体（ゴム）付け位置
ｙ  スリット
６１、６２、６３、６４  太目のコバステッチ
【図１】
2005211624.tif 000003
【図２】
2005211624.tif 000004
【図３】
2005211624.tif 000005
【図４】
2005211624.tif 000006
【図５】
2005211624.tif 000007
【図６】
2005211624.tif 000008
【図７】
2005211624.tif 000009
【図８】
2005211624.tif 000010
【図９】
2005211624.tif 000011
【図１０】
2005211624.tif 000012
【図１１】
2005211624.tif 000013
【図１２】
2005211624.tif 000014
【図１３】
2005211624.tif 000015
【図１４】
2005211624.tif 000016
【図１５】
2005211624.tif 000017
【図１６】
2005211624.tif 000018